(57)【要約】【課題】本発明は、電源供給装置及びこれを含むプラズマ表示装置に関する。【解決手段】本発明によれば、電源供給装置のパルス幅変調ＩＣ（ＰＷＭＩＣ）において、スイッチング周波数を決定する端子（ＲＴ）に接続される抵抗値を出力負荷によって変動させる。ここで、出力負荷が低い場合は、端子（ＲＴ）に接続される抵抗値を増加させる。これにより、不要な損失を防止することができる。【選択図】図３
2007037392.tif 000002
【特許請求の範囲】
【請求項１】
入力端に電気的に接続されるスイッチ、及び前記スイッチのデューティを制御するパルス幅変調ＩＣ（ＰＷＭＩＣ）を含み、前記スイッチのデューティに応じて出力端に所定の電圧を出力する電源供給装置において、
前記ＰＷＭＩＣは、抵抗成分が接続され、前記スイッチのスイッチング周波数を決定する端子である第１端子を含み、
前記電源供給装置は、
前記出力端に電気的に接続されて出力負荷を感知する出力負荷感知部；及び
前記出力負荷感知部で感知された出力負荷に応じて、前記ＰＷＭＩＣの第１端子に電気的に接続される総抵抗値が変動するようにする抵抗変換部；を含むことを特徴とする電源供給装置。
【請求項２】
前記出力負荷が変動する場合、前記総抵抗値が変動して前記スイッチング周波数が変動する、ことを特徴とする請求項１に記載の電源供給装置。
【請求項３】
前記出力負荷が、高い場合よりは低い場合に、前記総抵抗値が増加して前記スイッチング周波数が低くなる、ことを特徴とする請求項２に記載の電源供給装置。
【請求項４】
前記出力負荷が、所定の値より高い場合よりは低い場合に、前記総抵抗値が増加して前記スイッチの周波数が低くなる、ことを特徴とする請求項１に記載の電源供給装置。
【請求項５】
前記ＰＷＭＩＣは、キャパシター成分が電気的に接続され、前記スイッチング周波数を決定する端子である第２端子をさらに含み、
前記総抵抗及び前記ＰＷＭＩＣの第２端子に電気的に接続される総キャパシターによって前記スイッチング周波数が決定される、ことを特徴とする請求項１乃至４のうちのいずれか１項記載の電源供給装置。
【請求項６】
前記出力負荷感知部は、前記感知された出力負荷に比例する第１電圧を出力し、
前記抵抗変換部は、
前記第１電圧が非反転端子に入力され、基準電圧が反転端子に入力されて、前記第１電圧と前記基準電圧とを比較する比較器；
前記ＰＷＭＩＣの第１端子に第１端子が電気的に接続される第１抵抗；及び
前記比較器の出力によって前記第１抵抗の第２端子を接地に接続するか否かをスイッチングするトランジスタ；を含む、ことを特徴とする請求項５に記載の電源供給装置。
【請求項７】
前記ＰＷＭＩＣの第１端子と接地との間に第２抵抗をさらに含み、
前記総抵抗は、前記第２抵抗と、前記ＰＷＭＩＣの第１端子での前記抵抗変換部への等価抵抗とによって決定される、ことを特徴とする請求項６に記載の電源供給装置。
【請求項８】
複数の行電極と複数の列電極とを含むプラズマ表示パネル；
前記行電極と前記列電極とに駆動信号を印加する駆動部；及び
前記駆動部に電源を供給する電源部；を含み、
前記電源部は、
入力端に電気的に接続されているスイッチ；
抵抗成分が接続され、前記スイッチのスイッチング周波数を決定する端子である第１端子、及びキャパシター成分が接続され、前記スイッチング周波数を決定する端子である第２端子を含み、前記スイッチのデューティを制御するパルス幅変調ＩＣ（ＰＷＭＩＣ）；
出力端に電気的に接続されて出力負荷を感知する出力負荷感知部；並びに
前記出力負荷感知部で感知された出力負荷に応じて、前記ＰＷＭＩＣの第１端子に電気的に接続される総抵抗値が変動するようにする抵抗変換部；ことを特徴とするを含むプラズマ表示装置。
【請求項９】
前記出力負荷が減少する場合、前記総抵抗値が増加して前記スイッチング周波数が低くなる、ことを特徴とする請求項８に記載のプラズマ表示装置。
【請求項１０】
前記出力負荷が、所定の値より高い場合よりは低い場合に、前記総抵抗値が増加して前記スイッチング周波数が低くなる、ことを特徴とする請求項８に記載のプラズマ表示装置。
【請求項１１】
前記出力負荷は前記プラズマ表示装置の画面負荷率に対応する、ことを特徴とする請求項８に記載のプラズマ表示装置。
【請求項１２】
前記出力負荷感知部は、前記感知された出力負荷に対応する第１電圧を出力し、
前記抵抗変換部は、
前記第１電圧が非反転端子に入力され、基準電圧が反転端子に入力されて、前記第１電圧と前記基準電圧とを比較する比較器；
前記ＰＷＭＩＣの第１端子に第１端子が電気的に接続される第１抵抗；及び
前記比較器の出力によって、前記第１抵抗の第２端子を接地に接続するか否かをスイッチングするトランジスタ；を含む、ことを特徴とする請求項８乃至１１のうちのいずれか１項記載のプラズマ表示装置。
【発明の詳細な説明】
【技術分野】
【０００１】
本発明は電源供給装置に係り、特に、電源供給装置を含むプラズマ表示装置に関するものである。
【背景技術】
【０００２】
最近、平面表示装置の中のプラズマ表示装置は、他の平面表示装置（例えば、液晶表示装置（ＬＣＤ）、電界放出表示装置（ＦＥＤ））に比べて輝度及び発光効率が高く、視野角が広いという長所により脚光を浴びている。プラズマ表示装置は、気体放電により生成されたプラズマを利用して文字または映像を表示する平面表示装置であって、その大きさによって数十から数百万個以上の画素がマトリックス形態に配列されている。プラズマ表示装置を駆動する方法は、プラズマ表示装置の電極に複数の電圧を供給して放電を発生させることによって駆動する。
【０００３】
このような複数の電圧を供給するために、プラズマ表示装置は電源供給装置を含んでおり、電源供給装置は、力率を補償して交流電圧を直流電圧に変換する力率補償回路（Power  Factor  Correction  Circuit）、力率補償回路から出力される直流電圧（ＤＣ電圧）を複数の直流電圧として各々出力する複数のコンバータ、及びスタンバイ電圧を生成するスタンバイブロックで構成されている。ここで、力率補償回路、コンバータ、及びスタンバイブロックは所定の電圧を出力するために、スイッチ及びスイッチのスイッチングを制御するパルス幅変調ＩＣ（Pulse  Width  Modulator  Integrated  Circuit、以下、‘ＰＷＭＩＣ’とする）を含んでおり、ＰＷＭＩＣがスイッチを制御して所定の出力電圧を生成する。一般的に、ＰＷＭＩＣにおいてスイッチング周波数は固定されており、パルス幅（スイッチの導通タイム）が出力負荷に応じて変更されて所定の出力電圧が出力される。
【０００４】
しかし、出力負荷が低い場合、実際に電源供給装置が動作する区間が短いが、従来のようにスイッチング周波数が固定されている場合、ＰＷＭＩＣは固定されたスイッチング周波数でスイッチを制御するため、不要な損失が発生する。特に、プラズマ表示装置は、画面負荷率の変動が激しいために出力負荷の変動も激しく、したがって、固定されたスイッチング周波数でスイッチを制御するとさらに多くの損失が発生する。
【発明の開示】
【発明が解決しようとする課題】
【０００５】
本発明が目的とする技術的課題は、前記従来技術の問題点を解決するためのものであって、損失を減少させる電源供給装置、及びこれを含むプラズマ表示装置を提供することにある。
【課題を解決するための手段】
【０００６】
前記目的を達成するための本発明に特徴によれば、入力端に電気的に接続されるスイッチ、及び前記スイッチのデューティを制御するパルス幅変調ＩＣ（ＰＷＭＩＣ）を含み、前記スイッチのデューティに応じて出力端に所定の電圧を出力する電源供給装置が提供される。ここで、前記ＰＷＭＩＣは、抵抗成分が接続され、前記スイッチのスイッチング周波数を決定する端子である第１端子を含み、前記電源供給装置は、前記出力端に電気的に接続されて出力負荷を感知する出力負荷感知部と、前記感知された出力負荷に対応して、前記ＰＷＭＩＣの第１端子に電気的に接続される総抵抗値が変動するようにする抵抗変換部とを含む。ここで、前記出力負荷が変動すると、前記総抵抗値が変動して前記スイッチング周波数が変動する。そして、前記出力負荷が、高い場合よりは低い場合に、前記総抵抗値が増加して前記スイッチング周波数が低くなる。一方、前記出力負荷感知部は、前記感知された出力負荷に比例する第１電圧を出力し、前記抵抗変換部は、前記第１電圧が非反転端子に入力され、基準電圧が反転端子に入力されて、前記第１電圧と前記基準電圧とを比較する比較器、前記ＰＷＭＩＣの第１端子に第１端子が電気的に接続される第１抵抗、及び前記比較器の出力によって、前記第１抵抗の第２端子を接地に接続するか否かをスイッチングするトランジスタを含む。
【０００７】
本発明の他の特徴によれば、複数の行電極と複数の列電極とを含むプラズマ表示パネル；前記行電極と前記列電極とに駆動信号を印加する駆動部；及び前記駆動部に電源を供給する電源部；を含み、前記電源部は、入力端に電気的に接続されているスイッチ；抵抗成分が接続され、前記スイッチのスイッチング周波数を決定する端子である第１端子、及びキャパシター成分が接続されて前記スイッチング周波数を決定する端子である第２端子を含み、前記スイッチのデューティを制御するパルス幅変調ＩＣ（ＰＷＭＩＣ）；出力端に電気的に接続されて出力負荷を感知する出力負荷感知部；並びに前記感知された出力負荷に対応して、前記ＰＷＭＩＣの第１端子に電気的に接続される総抵抗値が変動するようにする抵抗変換部；を含むプラズマ表示装置が提供される。ここで、前記出力負荷が減少する場合、前記総抵抗値が増加して前記スイッチング周波数が低くなる。そして、前記出力負荷が、所定の値より高い場合よりは低い場合に、前記総抵抗値が増加して前記スイッチング周波数が低くなる。
【発明の効果】
【０００８】
本発明によれば、出力負荷に応じてスイッチング周波数を変更することにより、不要な損失をさらに減少させることができる。
【発明を実施するための最良の形態】
【０００９】
以下、添付した図面を参照して、本発明の実施例について本発明の属する技術分野における通常の知識を有する者が容易に実施できるように詳細に説明する。しかし、本発明は多様な相違した形態で実現でき、ここで説明する実施例に限定されない。
【００１０】
図面においては、本発明を明確に説明するために説明上不要な部分は省略した。明細書全体を通じて類似な部分については同一図面符号を付けた。
【００１１】
それでは、本発明の実施例によるプラズマ表示装置、及びこれに使用される電源供給装置について説明する。
【００１２】
図１は、本発明の実施例によるプラズマ表示装置を示す図である。
【００１３】
図１に示したように、本発明の実施例によるプラズマ表示装置は、プラズマ表示パネル１００、制御部２００、アドレス駆動部３００、走査電極駆動部４００、維持電極駆動部５００、及び電源部６００を含む。
【００１４】
プラズマ表示パネル１００は、列方向に延びている複数のアドレス電極（Ａ１〜Ａｍ）、行方向に互いに対を成しながら延びている複数の維持電極（Ｘ１〜Ｘｎ）、及び走査電極（Ｙ１〜Ｙｎ）を含む。維持電極（Ｘ１〜Ｘｎ）は各走査電極（Ｙ１〜Ｙｎ）に対応して形成され、一般的に、その一端が互いに共通で接続されている。そして、プラズマ表示パネル１００は、維持電極及び走査電極（Ｘ１〜Ｘｎ、Ｙ１〜Ｙｎ）が配列された基板（図示せず）と、アドレス電極（Ａ１〜Ａｍ）が配列された基板（図示せず）とからなる。両基板は、走査電極（Ｙ１〜Ｙｎ）とアドレス電極（Ａ１〜Ａｍ）、及び維持電極（Ｘ１〜Ｘｎ）とアドレス電極（Ａ１〜Ａｍ）が各々直交するように、放電空間を隔てて対向して配置される。このとき、アドレス電極（Ａ１〜Ａｍ）と維持電極及び走査電極（Ｘ１〜Ｘｎ、Ｙ１〜Ｙｎ）の交差部にある放電空間が放電セルを形成する。このようなプラズマ表示パネル１００の構造はただ一例であり、他の構造のパネルも本発明に適用できる。
【００１５】
制御部２００は、外部から映像信号を受信して、アドレス駆動制御信号、維持電極駆動制御信号、及び走査電極駆動制御信号を出力する。そして、制御部２００は、一つのフレームを複数のサブフィールドに分割して駆動し、各サブフィールドを時間的な動作変化で表現すれば、リセット期間、アドレス期間、及び維持期間からなる。
【００１６】
アドレス駆動部３００は、制御部２００からアドレス駆動制御信号を受信して、表示しようとする放電セルを選択するための表示データ信号を各アドレス電極に印加する。
【００１７】
走査電極駆動部４００は、制御部２００から走査電極駆動制御信号を受信して、走査電極に駆動電圧を印加する。
【００１８】
維持電極駆動部５００は、制御部２００から維持電極駆動制御信号を受信して、維持電極に駆動電圧を印加する。
【００１９】
電源部６００は、プラズマ表示装置に使用される複数の電圧を生成して、各駆動部３００、４００、５００に供給する。各駆動部３００、４００、５００は、電源部６００から供給された各種電圧をプラズマ表示パネル１００の各電極（アドレス電極、走査電極、維持電極）に印加して駆動する。
【００２０】
図２は、本発明の実施例による電源部６００の内部構成を概略的に示すブロック図である。
【００２１】
図２に示したように、本発明の実施例による電源部６００は、ＡＣフィルター６２０、力率補償回路６４０、電圧生成部６６０、及びスタンバイ電圧生成部６８０を含む。
【００２２】
ＡＣフィルター６２０は、雑音などを除去するために外部から入力される交流電圧（ＡＣ）をフィルタリングする。力率補償回路６４０は、ＡＣフィルターから出力される交流電圧（ＡＣ）を受信し、力率を補償して直流電圧（ＤＣ）を出力する。電圧生成部６６０は、複数の直流−直流（ＤＣ−ＤＣ）コンバータを含んでおり、力率補償回路６４０から出力される直流電圧を受信し、プラズマ表示装置に使用される複数の直流電圧（Ｖｓ、Ｖａ、１５Ｖ、５Ｖなど）を生成して各駆動部３００、４００、５００などに供給する。そして、スタンバイ電圧生成部６８０は、ＡＣフィルター６２０から出力される交流電圧（ＡＣ）を受信し、スタンバイ電圧（５Ｖ、９Ｖ）を生成して出力する。
【００２３】
一方、力率補償回路６４０、電圧生成部６６０、及びスタンバイ電圧生成部６８０は、各々所定の電圧を生成して供給するためにスイッチ及びパルス幅変調ＩＣ（以下、‘ＰＷＭＩＣ’とする）を含んでいる。本発明の実施例によるＰＷＭＩＣは、スイッチング周波数が固定されているわけではなく、出力負荷（load）によって変動し、それにより損失をさらに減少させることができるが、以下では、これについて具体的に説明する。ここで、以下で説明する出力負荷は、プラズマ表示装置の画面負荷率に対応する。プラズマ表示装置は画面負荷率によって要求される電力量の変動が激しいので、電源部６００の出力負荷はプラズマ表示装置の画面負荷率に対応する。つまり、プラズマ表示装置の画面負荷率の高い場合は出力負荷が高くなり、画面負荷率が低い場合は出力負荷が低くなる。
【００２４】
便宜上、以下では、電圧生成部６６０に含まれている一つのＤＣ−ＤＣコンバータを例に挙げて説明し、力率補償回路６４０及びスタンバイ電圧生成部６８０にも同様に適用できることはもちろんである。
【００２５】
図３は、本発明の実施例による電圧生成部６６０に含まれているＤＣ−ＤＣコンバータの内部構成を示す図であり、図４は、図３で示したＰＷＭＩＣ６６２と周辺の構成との接続関係を示す図であり、図５は、図３に示した抵抗変換部６６６の内部構成を示す図である。
【００２６】
図３に示したように、本発明の実施例によるＤＣ−ＤＣコンバータは、トランスフォーマ（Ｌ１、Ｌ２）、スイッチ（Ｑ１）、ダイオード（Ｄ１）、キャパシター（Ｃ１）、ＰＷＭＩＣ６６２、出力負荷感知部６６４、及び抵抗変換部６６６を含む。図３に示したＤＣ−ＤＣコンバータは、入力される直流電圧（Ｖｉｎ）を受信し、スイッチ（Ｑ１）のデューティ（Ｄｕｔｙ）に応じて、キャパシター（Ｃ１）の二つの端子に所定の直流電圧（Ｖｏｕｔ）を出力する。ここで、トランスフォーマの１次コイル（Ｌ１）の一端は入力端に接続され、スイッチ（Ｑ１）のドレーン、ソース、及びゲートは、各々トランスフォーマの１次コイル（Ｌ１）の他端、接地、及びＰＷＭＩＣ６６２の出力端子（ＯＵＴ）に接続される。そして、トランスフォーマの２次コイル（Ｌ２）の一端にダイオード（Ｄ１）のアノードが接続され、ダイオード（Ｄ１）のカソードとトランスフォーマの２次コイル（Ｌ２）の他端との間にキャパシター（Ｃ１）が接続される。一方、図３ではスイッチ（Ｑ１）をＭＯＳＦＥＴに示したが、本発明はこれに限定されるものではなく、二極式トランジスタなどの他のスイッチング素子を使用してもよい。
【００２７】
ＰＷＭＩＣ６６２は、出力端子（ＯＵＴ）を通してスイッチ（Ｑ１）のオン／オフを制御する信号を出力し、スイッチ（Ｑ１）のオン／オフにより、キャパシター（Ｃ１）の二つの端子に所定の出力電圧（Ｖｏｕｔ）が出力される。ここで、本発明の実施例によるＰＷＭＩＣ６６２は、スイッチング周波数（ｆ）を決定する二つの端子（ＲＴ、ＣＴ）を含み、端子（ＲＴ）には所定の抵抗（Ｒｔ）が接続され、端子（ＣＴ）には所定のキャパシター（Ｃｔ）が接続される。一般的に、大部分のＰＷＭＩＣはこの二つの端子（ＲＴ、ＣＴ）を含んでおり、この二つの端子（ＲＴ、ＣＴ）に各々接続される抵抗（Ｒｔ）、及びキャパシター（Ｃｔ）によってスイッチのスイッチング周波数（ｆ）が決定される。このようなＰＷＭＩＣとしてはＴＬ４９４、ＵＣ３８２５/３８２４などがあり、このＩＣも、スイッチング周波数（ｆ）を決定する二つの端子（ＲＴ、ＣＴ）を含んでいる。ここで、端子（ＲＴ）に接続される抵抗（Ｒｔ）と端子（ＣＴ）に接続されるキャパシター（Ｃｔ）とによって決定されるスイッチング周波数（ｆ）は、一般的に下記の数式１の関係が成立する。
【数１】
2007037392.tif 000003
【００２８】
ここで、ｆはＰＷＭＩＣのスイッチング周波数を示し、Ｒｔは、端子（ＲＴ）に接続される総抵抗値を示し、Ｃｔは、端子（ＲＴ）に接続される総キャパシターの値を示す。
【００２９】
図４を参照すれば、本発明の実施例によるＰＷＭＩＣ６６２において、端子（ＲＴ）には、抵抗（Ｒ１）と下記の抵抗変換部６６６とが接続され、端子（ＣＴ）にキャパシター（Ｃ２）が接続される。図４においてＲｅｑは、端子（ＲＴ）から抵抗変換部６６６への等価抵抗を示す。したがって、端子（ＲＴ）に接続される総抵抗（Ｒｔ）は、Ｒｅｑ//Ｒ１（＝（Ｒｅｑ*Ｒ１/（Ｒｅｑ＋Ｒ１））となる。
【００３０】
本発明の実施例によるＰＷＭＩＣ６６２は、二つの端子（ＲＴ、ＣＴ）のうち、端子（ＲＴ）に接続される総抵抗値（Ｒｔ）を出力負荷に応じて変動させることにより、スイッチング周波数（ｆ）を出力負荷に応じて変動させる。これに関する具体的説明は以下の通りである。
【００３１】
出力負荷感知部６６４は、ＤＣ−ＤＣコンバータの出力負荷を感知するために、出力端（ダイオード（Ｄ１）のカソード）に接続されて出力電流に対応する値を受信する。そして、出力負荷感知部６６４は、出力電流に対応する電圧（Ｖ１）を生成して出力する。出力負荷が高いと出力電流の値が増加するので、出力負荷感知部６６４から出力される電圧（Ｖ１）は、出力負荷が高い場合に増加する。一方、出力負荷感知部６６４が出力電流（つまり、出力負荷に対応する値）を感知する方法としては、ホールセンサー（Hole  Sensor）、電流トランスフォーマ（Current  Transformer）、センシング抵抗などがあり、出力電流に対応する電圧（Ｖ１）を生成する方法は、単純に抵抗を接続する方法を使用することができる。これに関する具体的な方法は、当業者であれば周知であるので具体的説明は省略する。
【００３２】
抵抗変換部６６６は、出力負荷感知部６６４から出力される電圧（Ｖ１）を受信し、電圧（Ｖ１）に対応する抵抗（Ｒｅｑ）が抵抗変換部６６６の出力端に現れるようにする。つまり、抵抗変換部６６６は、電圧（Ｖ１）が高い場合よりは低い場合に出力端に大きい抵抗（Ｒｅｑ）が現れるようにする。
【００３３】
図５を参照すれば、抵抗変換部６６６は、反転端子（−）に基準電圧（Ｖｒｅｆ）が入力され、非反転端子（＋）に出力負荷感知部６６４から出力される電圧（Ｖ１）が入力される比較器（ＣＰ）、比較器（ＣＰ）の出力端にベースが接続され、接地にエミッターが接続されるトランジスタ（Ｑ２）、トランジスタ（Ｑ２）のコレクターとＰＷＭＩＣ６６２の端子（ＲＴ）との間に接続される抵抗（Ｒｋ）を含む。ここで、既存の固定されたスイッチング周波数（ｆ）にＰＷＭＩＣ６６２がスイッチングする場合、損失が発生する出力負荷に対応する値として基準電圧（Ｖｒｅｆ）を設定することができ、これは実験的な方法によって求めることができる。出力負荷感知部６６４から出力される電圧（Ｖ１）が基準電圧（Ｖｒｅｆ）より高い場合（つまり、出力負荷が所定の値以上である場合）、比較器（ＣＰ）は高（High）信号を出力し、これに応じてトランジスタ（Ｑ２）が導通する。したがって、等価抵抗（Ｒｅｑ）はＲｋとなる。そして、出力負荷感知部６６４から出力される電圧（Ｖ１）が基準電圧（Ｖｒｅｆ）より低い場合（つまり、出力負荷が所定の値未満である場合）、比較器（ＣＰ）は低（Low）信号を出力し、これに応じてトランジスタ（Ｑ２）が遮断される。トランジスタ（Ｑ２）が遮断される場合、等価抵抗（Ｒｅｑ）は無限大（∞）となる。ここで、図５に示した抵抗変換部６６６は、電圧（Ｖ１）に応じて等価抵抗（Ｒｅｑ）を生成する方法の一例を示したものであり、他の方法を利用しても差し支えない。
【００３４】
以下では、このような構成を有するＤＣ−ＤＣコンバータにおいて、出力負荷によってＰＷＭＩＣ６６２のスイッチング周波数が変動する方法について説明する。
【００３５】
まず、出力負荷が所定の値より高い場合のＰＷＭＩＣ６６２のスイッチング周波数（ｆ）について説明する。出力負荷が高いと出力電流が増加するので、出力負荷感知部６６４は高い電圧（Ｖ１）を出力する。ここで、電圧（Ｖ１）が比較器（ＣＰ）の非反転端子（−）に入力される基準電圧（Ｖｒｅｆ）より高い場合、比較器（ＣＰ）は高信号を出力し、これによりトランジスタ（Ｑ２）がオン（ＯＮ）になって等価抵抗（Ｒｅｑ）はＲｋとなる。したがって、ＰＷＭＩＣ６６２の端子（ＲＴ）に接続される総抵抗（Ｒｔ）はＲ１//Ｒｋとなり、ＰＷＭＩＣ６６２のスイッチング周波数（ｆ）は、数式１により（１.２５Ｈｚ）/（（Ｒ１）//Ｒｋ）*Ｃ２）１/２となる。
【００３６】
次に、出力負荷が所定の値より低い場合のＰＷＭＩＣ６６２のスイッチング周波数（ｆ）について説明する。出力負荷が低いと出力電流が減少するので、出力負荷感知部６６４は低い電圧（Ｖ１）を出力する。ここで、電圧（Ｖ１）が基準電圧（Ｖｒｅｆ）より低い場合、比較器（ＣＰ）は低信号を出力し、これによりトランジスタ（Ｑ２）がオフ（ＯＦＦ）になって等価抵抗（Ｒｅｑ）は無限大（∞）となる。したがって、ＰＷＭＩＣ６６２の端子（ＲＴ）に接続される総抵抗（Ｒｔ）はＲ１となり、ＰＷＭＩＣ６６２のスイッチング周波数（ｆ）は、数式１により（１.２５Ｈｚ）/（Ｒ１）*Ｃ２）１/２となる。つまり、出力負荷が高い場合よりは低い場合にスイッチング周波数（ｆ）がさらに減少する。
【００３７】
このように出力負荷が所定の値より小さい場合、ＰＷＭＩＣのスイッチング周波数を低くすることによってコンバータが動作しない区間をさらに確保し、不要な損失を減少させることができる。つまり、従来は、出力負荷が低い場合にも、スイッチング周波数の固定により不要な損失を誘発したが、本発明によれば、出力負荷が所定の値より低い場合にはスイッチング周波数をさらに低くすることにより、不要な損失を減少させることができる。特に、出力負荷の変動が激しいプラズマ表示装置において、出力負荷に応じてスイッチング周波数を変動させることにより、不要な損失をさらに減少させることができる。
【００３８】
一方、前記で、ＤＣ−ＤＣコンバータに使用されるＰＷＭＩＣ６６２のスイッチング周波数を出力負荷に応じて変動させる方法について説明したが、力率補償回路６４０に使用されるＰＷＭＩＣ、及びスタンバイ電圧生成部６８０に使用されるＰＷＭＩＣにも同様に適用することができる。
【００３９】
以上、本発明の好ましい実施例について詳細に説明したが、本発明の権利範囲はこれに限定されるものではなく、本発明の特許請求の範囲で定義している本発明の基本概念を利用した当業者のいろいろな変形及び改良形態もまた、本発明の権利範囲に属する。
【図面の簡単な説明】
【００４０】
【図１】本発明の実施例によるプラズマ表示装置を示す図である。
【図２】本発明の実施例による電源部の内部構成を概略的に示すブロック図である。
【図３】本発明の実施例による電圧生成部に含まれているＤＣ−ＤＣコンバータの内部構成を示す図である。
【図４】図３で示したＰＷＭＩＣと周辺の構成との接続関係を示す図である。
【図５】図３に示した抵抗変換部の内部構成を示す図である。
【符号の説明】
【００４１】
１００  プラズマ表示パネル
２００  制御部
３００  アドレス駆動部
４００  走査電極駆動部
５００  維持電極駆動部
６００  電源部
６２０  ＡＣフィルター
６４０  力率補償回路
６６０  電圧生成部
６６２  ＰＷＭＩＣ
６６４  出力負荷感知部
６６６  抵抗変換部
６８０  スタンバイ電圧生成部
【図１】
2007037392.tif 000004
【図２】
2007037392.tif 000005
【図３】
2007037392.tif 000006
【図４】
2007037392.tif 000007
【図５】
2007037392.tif 000008